(57)【要約】【課題】  赤外線リモートコントローラによるリモートコントロール機能しか備えていない既存の家庭用電子機器をホームサーバから制御し、インターネットを介して遠隔制御可能とするホームネットワークシステム及びその方法を提供する。【解決手段】  無線赤外線変換器１２によりホームサーバ１からの無線信号を赤外線信号に変換し、その変換された赤外線信号で赤外線リモートコントロール機能で制御されていた既存の家庭用電子機器を制御する。【選択図】図１
2005277485.tif 000002
【特許請求の範囲】
【請求項１】
回線端末および携帯端末からの宅内の家庭用電子機器の制御情報を受信する宅内に設置したホームサーバと、該制御情報に基づき前記ホームサーバが送信するリモートコントロール用の無線信号を受信する宅内の家庭用電子機器とを備え、前記無線信号を識別して赤外線信号に変換するあるいは赤外線コントローラから送信される赤外線信号を識別する
ＭＰＵと、該ＭＰＵからの赤外線信号を受信して前記家庭用電子機器の赤外線受信部に送信する赤外線送信部を有する無線赤外線変換機を前記家庭用電子機器に取付けたホームネットワークシステム。
【請求項２】
回線端末および携帯端末からの宅内の家庭用電子機器の制御情報を受信する宅内に設置したホームサーバと、該制御情報に基づき前記ホームサーバが送信するリモートコントロール用の無線信号を受信する宅内の家庭用電子機器と、該家庭用電子機器に取付けられ前記無線信号を赤外線信号に変換する無線赤外線変換器を備え、前記無線赤外線変換器は、前記無線信号を受信して電気信号に変換する無線信号受信部と、赤外線コントローラから送信される赤外線信号を受信して電気信号に変換する赤外線信号受信部と、無線信号に含まれる機種識別コードおよび命令コードと赤外線信号に含まれる機種識別コードおよび命令コードを格納したメモリーと、前記無線信号受信部が変換した電気信号または赤外線受信部が変換した電気信号から機種識別コードおよび命令コードを抽出しメモリーに格納されている機種識別コードおよび命令コードと比較して対応する赤外線信号の機種識別コードおよび命令コードに変換するＭＰＵと、該ＭＰＵが変換した機種識別コードと命令コードを赤外線信号に変換して出力する赤外線信号送信部と有するホームネットワークシステム。
【請求項３】
ホームサーバからの無線信号を受信して電気信号に変換する無線信号受信部と、赤外線コントローラからの赤外線信号を受信して電気信号に変換する赤外線信号受信部と、無線信号に含まれる機種識別コードおよび命令コードと赤外線信号に含まれる機種識別コードおよび命令コードを格納したメモリーと、前記無線信号受信部が変換した電気信号または赤外線受信部が変換した電気信号から機種識別コードおよび命令コードを抽出しメモリーに格納されている機種識別コードおよび命令コードと比較して対応する赤外線信号の機種識別コードおよび命令コードに変換するＭＰＵと、該ＭＰＵが変換した機種識別コードと命令コードを赤外線信号に変換して出力する赤外線信号送信部と備え、家庭用電子機器に取付けられる無線赤外線変換器。
【発明の詳細な説明】
【技術分野】
【０００１】
本発明は、インターネット等の情報通信網を介して宅内の家庭用電子機器を遠隔操作するホームネットワークシステム及び無線赤外線変換器に関する。
【背景技術】
【０００２】
個人宅内のテレビ，照明機器，空調機等の家庭用電子機器をインターネット等の情報通信網を介して遠隔制御するホームネットワークシステムにおいては、一般的に宅内にホームサーバを設置し、ホームサーバがインターネット等の情報通信網から受信したデータに基づき、家庭用電子機器を制御するようになっており、電波を使用した無線信号により使用するホームサーバから電子機器への制御信号の伝達を行っている。
【０００３】
また、〔特許文献１〕に記載のように、携帯機器と家庭内情報システムとの連携を図ることにより、様々な種類の家庭内電子機器を統一的な操作で携帯機器から操作／制御するために、ホームサーバに携帯機器と通信する通信手段を設け、家庭内電子機器を統一的な操作で携帯機器から操作／制御するようにした情報システムが開示されている。また、
〔特許文献２〕に記載のように、電化機器を遠隔から制御するために遠隔と制御信号を通信装置であって、遠隔との間で制御信号を通信する遠隔通信部と、制御信号に従い電化機器を制御するための電化機器内の制御部と遠隔通信部との間で制御信号を中継して、かつ電化機器に一体的に設けられた機器通信部を備えた遠隔制御システムがある。
【０００４】
【特許文献１】特開２００１−３４６２７０号公報
【特許文献２】特開２００２−４４７４５号公報
【発明の開示】
【発明が解決しようとする課題】
【０００５】
〔特許文献１〕に記載のようにホームサーバから無線信号により家庭用電子機器を制御する従来の方法では、制御対象である家庭用電子機器を制御するためには、制御信号を受信する無線信号受信器を備えた家庭用電子機器を設置する必要がある。しかし、既存の家庭用電子機器は、機器に付属する赤外線リモートコントローラからの制御信号を受信する赤外線信号受信器しか備えていないものがあり、ホームサーバからの無線信号では制御ができないという問題があった。
【０００６】
また、〔特許文献２〕に記載の従来の技術では、遠隔通信部は機器側通信部に着脱可能に接続されるものであるが、家電品に予めネットワーク機能を追加し、例えば赤外線リモコンを使用するときは機器側通信部を取り外し、遠隔制御時は家電品の種類に共通した規格を有する機器側通信部を取付けて通信し、家電制御部に入力される信号を統一するために家電製品を特別の構造にする必要があった。
【０００７】
本発明の目的は、赤外線リモートコントローラによるリモートコントロール機能で制御されていた既存の家庭用電子機器をホームサーバから制御し、インターネットを介して遠隔制御可能とするホームネットワークシステム及び無線赤外線変換器を提供することにある。
【課題を解決するための手段】
【０００８】
上記の目的を達成するために、本発明のホームネットワークシステムは、回線端末および携帯端末からの宅内の家庭用電子機器の制御情報を受信する宅内に設置したホームサーバと、制御情報に基づきホームサーバが送信するリモートコントロール用の無線信号を受信する宅内の家庭用電子機器とを備え、無線信号を識別して赤外線信号に変換するあるいは赤外線コントローラから送信される赤外線信号を識別するＭＰＵと、ＭＰＵからの赤外線信号を受信して前記家庭用電子機器の赤外線受信部に送信する赤外線送信部を有する無線赤外線変換機を前記家庭用電子機器に取付けたものである。
【０００９】
また、無線赤外線変換器は、ホームサーバからの無線信号を受信して電気信号に変換する無線信号受信部と、赤外線コントローラからの赤外線信号を受信して電気信号に変換する赤外線信号受信部と、無線信号に含まれる機種識別コードおよび命令コードと赤外線信号に含まれる機種識別コードおよび命令コードを格納したメモリーと、無線信号受信部が変換した電気信号または赤外線受信部が変換した電気信号から機種識別コードおよび命令コードを抽出しメモリーに格納されている機種識別コードおよび命令コードと比較して対応する赤外線信号の機種識別コードおよび命令コードに変換するＭＰＵと、ＭＰＵが変換した機種識別コードと命令コードを赤外線信号に変換して出力する赤外線信号送信部と備え、家庭用電子機器に取付けられるものである。
【発明の効果】
【００１０】
本発明によれば、赤外線コントロール機能で制御されていた既存の家庭用電子機器に無線赤外線変換器を取付けることによりインターネットを介しての遠隔操作が可能となる。
【発明を実施するための最良の形態】
【００１１】
以下、本発明の一実施例を図１，図２を用いて説明する。図１は、本実施例のホームネットワークシステムの構成図である。
【００１２】
ホームサーバ１は宅内に設置され、インターネット２に接続されている。ホームサーバ１は、インターネット２を介して宅外の回線端末３あるいは携帯端末４から送信される宅内のテレビ６や空調機５等の家庭用電子機器の制御情報を受信する。ホームサーバ１は、受信した家庭用電子機器の制御情報を無線信号として送受信する通信部を備えている。家庭用電子機器は、ホームサーバ１と制御情報を無線信号で送受信する通信部を備えている。
【００１３】
ホームサーバ１は、回線端末３あるいは携帯端末４から送られた家庭用電子機器の制御情報に基づき、制御部で機種識別コードと命令コードを含む無線信号を生成して送信する。
【００１４】
空調機５はホームサーバ１から送信される無線信号７ａを受信し、受信した無線信号内の機種識別コードと自機に割り当てられている機種識別コードを比較し、コードが一致すると判断した場合は、無線信号内の命令コードに対応する処理を実行し、応答信号８ａをホームサーバ１へ送信する。
【００１５】
赤外線リモートコントローラ９は、テレビ６を制御する赤外線信号１０を送信する機能を備え、この赤外線信号１０には、機種識別コードと命令コードが含まれる。ここでは、テレビ６は、赤外線信号１０によるリモートコントロール機能は備えているが、無線信号によるリモートコントロール機能は備えていない場合を説明する。
【００１６】
テレビ６には、無線赤外線変換器１２が取付けられており、無線赤外線変換器１２は、ホームサーバ１から送信される無線信号７ｂを受信し、テレビ６をリモートコントロールするための赤外線信号２３に変換する。
【００１７】
無線赤外線変換器１２の構造を図２により説明する。無線赤外線変換器１２には、無線信号受信部１３と赤外線信号受信部１５が設けられている。無線信号受信部１３はホームサーバ１から送信される無線信号７ｂを受信して、電気信号である受信データに変換する。赤外線信号受信部１５は赤外線リモートコントローラ９の送信する赤外線信号１０を受信し、電気信号である受信データに変換する。無線信号受信部１３は信号線１４でＭＰＵ１８に、赤外線信号受信部１５は信号線１６でＭＰＵ１８に接続されている。ＭＰＵ１８にはメモリー１７が接続され、メモリー１７には、無線信号に含まれる機種識別コードおよび命令コードと、赤外線信号に含まれる機種識別コードおよび命令コードと、ＭＰＵ
１８を動作させるために必要なプログラム等が格納されている。ＭＰＵ１８は、信号線
１９により赤外線信号送信部２０に、信号線２１により応答信号送信部２２に接続され、赤外線信号送信部２０は応答信号送信部２２に接続されている。赤外線信号送信部２０からはテレビ６をリモートコントロールするための赤外線信号２３が送信される。応答信号送信部２２からはホームサーバ１に信号が送信される。
【００１８】
赤外線リモートコントローラ９から赤外線信号１０を送信すると、テレビ６に取付けられた無線赤外線変換器１２の赤外線信号受信部１５により受信される。受信された赤外線信号はＭＰＵ１８に送信される。ＭＰＵ１８は信号線１６から変換された受信データが入力されると、受信データから機種識別コードと命令コードを抽出し、メモリー１７内に記憶されている赤外線信号の機種識別コードと命令コードに一致するものがあるか検索する。一致するものがある場合、ＭＰＵ１８は、その機種識別コードと命令コードに対応してテレビ６を制御する赤外線信号の機種識別コードと命令コードを信号線１９により送信データとして赤外線信号送信部２０へ送信する一方、信号線２１によりコード一致信号を応答信号送信部２２へ送信する。赤外線信号送信部２０からの信号を赤外線信号受信部１１で受信し、その赤外線信号内の機種識別コードと自機に割り当てられている機種識別コードが一致すると判断した場合、命令コードに対応する処理を実行する。このようにして、赤外線リモートコントローラ９を使用した制御が行われる。
【００１９】
ホームサーバ１から送信される無線信号は無線赤外線変換器１２の無線信号受信部１３で受信され、電気信号である受信データに変換されてＭＰＵ１８に送信される。ＭＰＵ
１８は受信データが入力されると、受信データから機種識別コードと命令コードを抽出し、メモリー１７内の無線信号の機種識別コードと命令コードに一致するものがあるか検索する。
【００２０】
一致するものがある場合、ＭＰＵ１８は、その機種識別コードと命令コードを送信データとして赤外線信号送信部２０へ送信する。赤外線信号送信部２０は、送信データを赤外線信号に変換して赤外線信号受信部１１に送信する。赤外線信号送信部２０からの信号を赤外線信号受信部１１で受信し、その赤外線信号内の機種識別コードと自機に割り当てられている機種識別コードが一致すると判断した場合、命令コードに対応する処理を実行する。
【００２１】
赤外線信号を赤外線信号受信部１１に送信した後、応答信号送信部２２へ信号線２４により送信完了信号を送る。応答信号送信部２２は、信号線２１によりコード一致信号と信号線２４により送信完了信号が入力されると、ホームサーバ１へ赤外線信号２３から返還した無線信号８ｂを送信して制御信号を赤外線信号受信部１１への送信が終了したことを報告する。このようにして、ホームサーバ１を使用した制御が行われる。
【００２２】
このように、本実施例によれば、家庭用電子機器の赤外線信号受信部に無線赤外線変換器の赤外線信号送信部を対向させて、望ましくは密着させて装着しているので、既存の家庭用電子機器をホームサーバあるいは赤外線リモートコントローラで制御することが可能となる。これにより、既存の家庭用電子機器をホームサーバから制御し、インターネットを介して遠隔制御可能とするホームネットワークシステム及びその方法を提供することができる。
【図面の簡単な説明】
【００２３】
【図１】本発明の一実施例であるホームネットワークシステムの構成図である。
【図２】無線赤外線変換器の構成図である。
【符号の説明】
【００２４】
１…ホームサーバ、２…インターネット、３…回線端末、４…携帯端末、５…空調機、６…テレビ、９…赤外線リモートコントローラ、１１，１５…赤外線信号受信部、１２…無線赤外線変換器、１３…無線信号受信部、１４，１６，１９，２１…信号線、１７…メモリー、１８…ＭＰＵ、２０…赤外線信号送信部、２２…応答信号送信部。
【図１】
2005277485.tif 000003
【図２】
2005277485.tif 000004